(57)【要約】【課題】良好なトラクション性能が安定的に発揮される、不整地走行車両用のタイヤの提供。【解決手段】タイヤは、ミドルブロック２４を有している。このミドルブロック２４は、主部３２、第一突条３４及びの第二突条３６を有している。主部３２は、上底面３８と、２つの縦側面４０と、２つの横側面４２とを有している。第一突条３４は、縦側面４０から突出している。１つの縦側面４０から突出する第一突条３４の数Ｎ１は、４である。第二突条３６は、横側面４２から突出している。１つの横側面４２から突出する第二突条３６の数Ｎ２は、３である。【選択図】図３
2020175706.tif 000002
【特許請求の範囲】
【請求項１】
複数のブロックを有するトレッドを備えており、
それぞれのブロックが、
（１）多角形である上底面と、複数の側面とを有する主部
及び
（２）上記主部の側面から突出しており、かつそれぞれが端面を有する複数の突条
を有しており、
１又は２以上の側面のそれぞれから、２以上の突条が突出しており、
上記上底面及び上記端面がランドを形成する不整地走行車両用のタイヤ。
【請求項２】
全ての側面のそれぞれから、２以上の突条が突出している請求項１に記載のタイヤ。
【請求項３】
上記突条の幅の、上記主部の幅に対する比率が、５％以上２０％以下である請求項１又は２に記載のタイヤ。
【請求項４】
上記突条の突出長さの、上記主部の幅に対する比率が、５％以上２０％以下である請求項１から３のいずれかに記載のタイヤ。
【請求項５】
突条とこれに隣接する他の突条との間隔の、上記主部の幅に対する比率が、１５％以上３０％以下である請求項１から４のいずれかに記載のタイヤ。
【請求項６】
上記ブロックが、縦側面、横側面、複数の第一突条及び複数の第二突条を有しており、
上記縦側面の延在方向の、周方向に対する角度の絶対値が、０°以上４５°未満であり、
上記横側面の延在方向の、周方向に対する角度の絶対値が、４５°以上９０°以下であり、
それぞれの第一突条が、上記縦側面から突出しており、
それぞれの第二突条が、上記横側面から突出しており、
上記第二突条の幅Ｗ２が、上記第一突条の幅Ｗ１よりも大きい請求項１から５のいずれかに記載のタイヤ。
【請求項７】
上記ブロックが、縦側面、横側面、複数の第一突条及び複数の第二突条を有しており、
上記縦側面の延在方向の、周方向に対する角度の絶対値が、０°以上４５°未満であり、
上記横側面の延在方向の、周方向に対する角度の絶対値が、４５°以上９０°以下であり、
それぞれの第一突条が、上記縦側面から突出しており、
それぞれの第二突条が、上記横側面から突出しており、
上記第一突条の突出長さＬ１が、上記第二突条の突出長さＬ２よりも大きい請求項１から６のいずれかに記載のタイヤ。
【請求項８】
１つの縦側面から突出する上記第一突条の数が、１つの横側面から突出する第二突条の数よりも多い請求項６又は７に記載のタイヤ。
【発明の詳細な説明】
【技術分野】
【０００１】
本発明は、不整地走行車両用のタイヤに関する。詳細には、本発明は、このタイヤのトレッドの改良に関する。
【背景技術】
【０００２】
山林、岩場等の不整地を走行するモーターサイクルタイヤは、ブロックパターンを有するトレッドを備えている。このブロックパターンは、多数のブロックを含んでいる。これらのブロックのエッジ効果により、このタイヤは、不整地において優れたトラクション性能を発揮する。
【０００３】
特開２０１７−１２１８９５公報には、ブロックがその側面に突起を有するタイヤが開示されている。この突起を有するブロックでは、ランドのエッジが多い。突起は、タイヤのトラクション性能に寄与しうる。
【０００４】
特開２０１３−３５５３７公報には、ブロックが直線状エッジと円弧状エッジとを有するタイヤが開示されている。これらのエッジは、タイヤのトラクション性能に寄与しうる。
【先行技術文献】
【特許文献】
【０００５】
【特許文献１】特開２０１７−１２１８９５公報
【特許文献２】特開２０１３−３５５３７公報
【発明の概要】
【発明が解決しようとする課題】
【０００６】
ブロックを有するタイヤが悪路を走行すると、ブロックとこれに隣接する他のブロックとの間に、泥が詰まる。泥が詰まると、ブロックのエッジ効果が発揮されにくい。泥が詰まった状態でのこのタイヤのトラクション性能は、不十分である。
【０００７】
本発明の目的は、良好なトラクション性能が安定的に発揮される不整地走行車両用のタイヤの提供にある。
【課題を解決するための手段】
【０００８】
本発明に係る不整地走行車両用のタイヤは、複数のブロックを有するトレッドを備える。それぞれのブロックは、
（１）多角形である上底面と、複数の側面とを有する主部
及び
（２）この主部の側面から突出しており、かつそれぞれが端面を有する複数の突条
を有する。１又は２以上の側面のそれぞれから、２以上の突条が突出する。上底面及び端面は、ランドを形成する。
【０００９】
好ましくは、  全ての側面のそれぞれから、２以上の突条が突出する。
【００１０】
好ましくは、突条の幅の、ブロックの幅に対する比率は、５％以上２０％以下である。好ましくは、突条の突出長さの、ブロックの幅に対する比率は、５％以上２０％以下である。好ましくは、突条とこれに隣接する他の突条との間隔の、ブロックの幅に対する比率は、１５％以上３０％以下である。
【００１１】
ブロックが、縦側面、横側面、複数の第一突条及び複数の第二突条を有してもよい。縦側面の延在方向の、周方向に対する角度の絶対値は、０°以上４５°未満である。横側面の延在方向の、周方向に対する角度の絶対値は、４５°以上９０°以下である。それぞれの第一突条は、縦側面から突出する。それぞれの第二突条は、横側面から突出する。好ましくは、第二突条の幅Ｗ２は、第一突条の幅Ｗ１よりも大きい。好ましくは、第一突条の突出長さＬ１は、第二突条の突出長さＬ２よりも大きい。好ましくは、１つの縦側面から突出する第一突条の数は、１つの横側面から突出する第二突条の数よりも多い。
【発明の効果】
【００１２】
本発明に係る不整地走行車両用のタイヤでは、突条がエッジ効果を発揮する。突条はさらに、振動することによって、ブロックに付着した泥の排出を促す。このタイヤでは、優れたトラクション性能が安定的に発揮される。
【図面の簡単な説明】
【００１３】
【図１】図１は、本発明の一実施形態に係る不整地走行車両用のタイヤが示された断面図である。
【図２】図２は、図１のタイヤのトレッドが示された展開図である。
【図３】図３は、図２のトレッドのミドルブロックが示された斜視図である。
【図４】図４は、図３のミドルブロックの主部が示された斜視図である。
【図５】図５は、図３のミドルブロックのランドが示された平面図である。
【図６】図６は、図５のVI−VI線に沿った断面図である。
【図７】図７は、図５のVII−VII線に沿った断面図である。
【図８】図８は、本発明の他の実施形態に係る不整地走行車両用のタイヤのミドルブロックが示された平面図である。
【図９】図９は、本発明のさらに他の実施形態に係る不整地走行車両用のタイヤのミドルブロックが示された平面図である。
【図１０】図１０は、本発明のさらに他の実施形態に係る不整地走行車両用のタイヤのミドルブロックが示された平面図である。
【図１１】図１１は、本発明の実施例８に係る不整地走行車両用のタイヤのミドルブロックが示された平面図である。
【図１２】図１２は、本発明の実施例９に係る不整地走行車両用のタイヤのミドルブロックが示された平面図である。
【図１３】図１３は、本発明の実施例１０に係る不整地走行車両用のタイヤのミドルブロックが示された平面図である。
【発明を実施するための形態】
【００１４】
以下、適宜図面が参照されつつ、好ましい実施形態に基づいて本発明が詳細に説明される。
【００１５】
図１には、不整地走行車両用タイヤとしてのモーターサイクルタイヤ２が示されている。このタイヤ２は山林、原野等を走行する。このタイヤ２は、トレッド４、サイドウォール６、ビード８、カーカス１０、ベルト１２、チェーファー１４及びインナーライナー１６を備えている。このタイヤ２は、チューブタイプである。図１において、上下方向が半径方向であり、左右方向が軸方向であり、紙面との垂直方向が周方向である。このタイヤ２は、図１中の一点鎖線ＣＬを中心としたほぼ左右対称の形状を呈する。この一点鎖線ＣＬは、タイヤ２の赤道面を表す。
【００１６】
トレッド４は、半径方向外向きに凸な形状を呈している。このトレッド４は、ベース１８と、キャップ２０とから構成される。ベース１８は、架橋ゴムからなる。キャップ２０は、半径方向において、このベース１８の外側に位置している。このキャップ２０は、架橋ゴムからなる。
【００１７】
キャップ２０は、センターブロック２２、ミドルブロック２４及びショルダーブロック２６を有している。それぞれのブロックは、ランドＬを有している。トレッド４の表面のうち、ランドＬ以外の部分は、シーＳである。
【００１８】
サイドウォール６は、トレッド４の端から半径方向略内向きに延びている。このサイドウォール６は、架橋ゴムからなる。サイドウォール６は、撓みによって路面からの衝撃を吸収する。さらにサイドウォール６は、カーカス１０の外傷を防止する。本実施形態では、サイドウォール６の材質は、ベース１８の材質と同等である。サイドウォール６とベース１８とは、一体に成形されている。
【００１９】
ビード８は、サイドウォール６よりも半径方向略内側に位置している。ビード８は、コア２８と、このコア２８から半径方向外向きに延びるエイペックス３０とを備えている。コア２８は、リング状である。コア２８において、非伸縮性ワイヤーが複数回に巻かれている。非伸縮性ワイヤーの典型的な材質は、スチールである。エイペックス３０は、半径方向外向きに先細りである。
【００２０】
カーカス１０は、両側のビード８の間に架け渡されており、トレッド４及びサイドウォール６の内側に沿っている。カーカス１０は、コア２８の周りを、軸方向内側から外側に向かって折り返されている。このカーカス１０は、２つの層からなる。カーカス１０の層の数は、１でもよく、３以上でもよい。
【００２１】
図示されていないが、カーカス１０は、並列された多数のコードとトッピングゴムとを含んでいる。各コードが赤道面に対してなす角度の絶対値は、典型的には３０°から６０°である。換言すれば、このカーカス１０はバイアス構造を有する。コードは、典型的には有機繊維からなる。好ましい有機繊維として、ポリエステル繊維、ナイロン繊維、レーヨン繊維、ポリエチレンナフタレート繊維及びアラミド繊維が例示される。カーカス１０が、ラジアル構造を有してもよい。
【００２２】
ベルト１２は、カーカス１０の半径方向外側に位置している。ベルト１２は、カーカス１０と積層されている。ベルト１２は、カーカス１０を補強する。このベルト１２は、２つの層からなる。ベルト１２の層の数は、１でもよく、３以上でもよい。図示されていないが、ベルト１２は、並列された多数のコードとトッピングゴムとを含む。各コードは、赤道面に対して傾斜している。傾斜角度の絶対値は、１０°以上３５°以下である。コードは、典型的には有機繊維からなる。コードの材質が、スチールであってもよい。
【００２３】
図２は、図１のタイヤ２のトレッド４が示された展開図である。図２において、上下方向が周方向であり、左右方向が軸方向である。図２には、複数のセンターブロック２２、複数のミドルブロック２４及び複数のショルダーブロック２６が示されている。
【００２４】
それぞれのセンターブロック２２は、赤道面ＣＬを跨いで存在している。複数のセンターブロック２２が、周方向に沿って並んでいる。本実施形態では、これらのセンターブロック２２は、等ピッチで並んでいる。
【００２５】
それぞれのショルダーブロック２６は、タイヤ２の軸方向外側に位置している。トレッド４は、ショルダーブロック２６の２つの列を有している。それぞれの列において、複数のショルダーブロック２６が、周方向に沿って並んでいる。本実施形態では、これらのショルダーブロック２６は、等ピッチで並んでいる。一方の列のショルダーブロック２６は、他方の列のショルダーブロック２６と、赤道面ＣＬに対してミラー対称である。
【００２６】
それぞれのミドルブロック２４は、軸方向において、センターブロック２２とショルダーブロック２６とに挟まれている。トレッド４は、ミドルブロック２４の２つの列を有している。それぞれの列において、複数のミドルブロック２４が、周方向に沿って並んでいる。本実施形態では、これらのミドルブロック２４は、等ピッチで並んでいる。一方の列のミドルブロック２４は、他方の列のミドルブロック２４と、赤道面ＣＬに対してミラー対称である。
【００２７】
図３は、ミドルブロック２４が示された斜視図である。図４は、このミドルブロック２４の主部３２（後に詳説）が示された斜視図である。図３及び４において、矢印Ｘはタイヤ２の軸方向を表し、矢印Ｙはタイヤ２の周方向を表す。
【００２８】
このミドルブロック２４は、主部３２及び複数の突条を有している。本実施形態では、ミドルブロック２４は、複数の第一突条３４及び複数の第二突条３６を有している。主部３２は、ブロック２４のうち、突条３４、３６を除く部分である。換言すれば、主部３２は、突条３４、３６が存在しないと仮想されたときの、ブロックである。従って図４では、主部３２が仮想線（二点鎖線）で画かれている。図４における矢印Ｗｍは、主部３２の幅である。幅Ｗｍは、軸方向Ｘに沿って測定される。
【００２９】
図４に示されるように、主部３２は、上底面３８と、２つの縦側面４０と、２つの横側面４２とを有している。上底面３８は、実質的に正方形である。側面３８、４０の数は、４である。それぞれの縦側面４０は、周方向Ｙに沿って延在している。それぞれの横側面４２は、軸方向Ｘに沿って延在している。本発明では、その延在方向の周方向に対する角度の絶対値が、０°以上４５°未満である側面は、「縦側面」と称される。図３及び４に示された実施形態では、縦側面４０の延在方向の、周方向に対する角度の絶対値は、０°である。本発明では、その延在方向の周方向に対する角度の絶対値が、４５°以上９０°以下である側面は、「横側面」と称される。図３及び４に示された実施形態では、横側面４２の延在方向の、周方向に対する角度の絶対値は、９０°である。
【００３０】
図５は、図３のミドルブロック２４のランドＬが示された平面図である。図５では、トレッド４の法線方向の無限遠からミドルブロック２４が見られている。図６は、図５のVI−VI線に沿った断面図である。図７は、図５のVII−VII線に沿った断面図である。
【００３１】
図３−７に示されるように、それぞれの第一突条３４は、縦側面４０から突出している。この第一突条３４は、主部３２と一体である。第一突条３４は、第一端面４４を有している。この第一端面４４は、実質的に矩形である。この第一端面４４は、主部３２の上底面３８と面一である。本実施形態では、１つの縦側面４０から突出する第一突条３４の数Ｎ１は、４である。前述の通り、このミドルブロック２４は２つの縦側面４０を有している。従って、このミドルブロック２４における第一突条３４の総数ＴＮ１数は、８である。１つの縦側面４０から突出する第一突条３４の数Ｎ１は３以上が好ましく、４以上が特に好ましい。この数Ｎ１は、６以下が好ましく、５以下が特に好ましい。この実施形態では、１つのミドルブロック２４における、突条が存在する縦側面４０の数ＮＳ１は、２である。
【００３２】
それぞれの第二突条３６は、横側面４２から突出している。この第二突条３６は、主部３２と一体である。第二突条３６は、第二端面４６を有している。この第二端面４６は、実質的に矩形である。この第二端面４６は、主部３２の上底面３８と面一である。本実施形態では、１つの横側面４２から突出する第二突条３６の数Ｎ２は、３である。前述の通り、このミドルブロック２４は２つの横側面４２を有している。従って、このミドルブロック２４における第二突条３６の総数ＴＮ２は、６である。１つの横側面４２から突出する第二突条３６の数Ｎ２は２以上が好ましく、３以上が特に好ましい。この数Ｎ２は、５以下が好ましく、４以下が特に好ましい。この実施形態では、１つのミドルブロック２４における、突条が存在する横側面４２の数ＮＳ２は、２である。
【００３３】
このミドルブロック２４では、上底面３８、８個の第一端面４４及び６個の第二端面４６により、ランドＬが形成されている。このランドＬには、エッジが多い。このタイヤ２が走行するとき、ミドルブロック２４によって優れたエッジ効果が発揮される。このタイヤ２は、トラクション性能に優れる。トラクション性能の観点から、全ての側面のそれぞれから２以上の突条が突出することが好ましい。
【００３４】
第一突条３４及び第二突条３６は、ミドルブロック２４に比べて十分薄い。従って、タイヤ２が走行するとき、第一突条３４及び第二突条３６は変形を繰り返す。換言すれば、第一突条３４及び第二突条３６は振動する。この振動により、トレッド４に付着した泥がこのトレッド４から剥離する。このミドルブロック２４は、泥はけ性能に寄与する。このタイヤ２では、泥によるトラクション性能の阻害が、生じにくい。このタイヤ２では、優れたトラクション性能が安定的に発揮される。
【００３５】
安定的なトラクション性能の観点から、１つの側面から突出する突条の数は２以上が好ましく、３以上が特に好ましい。この数は、６以下が好ましく、５以下が特に好ましい。
【００３６】
図５において矢印Ｗ１で示されているのは、第一突条３４の幅である。この幅Ｗ１の、主部３２の幅Ｗｍに対する比率は、５％以上２０％以下が好ましい。この比率が５％以上である第一突条３４は、耐久性に優れる。この第一突条３４はさらに、十分な剛性を有するので、エッジ効果に寄与しうる。この比率が２０％以下である第一突条３４は、走行中に十分に振動する。この第一突条３４は、泥はけ性能に寄与しうる。幅Ｗｍ及び幅Ｗ１は、ランドＬにおいて測定される。
【００３７】
図５において矢印Ｗ２で示されているのは、第二突条３６の幅である。この幅Ｗ２の、主部３２の幅Ｗｍに対する比率は、５％以上２０％以下が好ましい。この比率が５％以上である第二突条３６は、耐久性に優れる。この第二突条３６はさらに、十分な剛性を有するので、エッジ効果に寄与しうる。この比率が２０％以下である第二突条３６は、走行中に十分に振動する。この第二突条３６は、泥はけ性能に寄与しうる。幅Ｗ２は、ランドＬにおいて測定される。
【００３８】
好ましくは、第二突条３６の幅Ｗ２は、第一突条３４の幅Ｗ１よりも大きい。このミドルブロック２４では、主として第一突条３４が泥はけ性能に寄与し、主として第二突条３６がエッジ効果に寄与しうる。この観点から、比（Ｗ２／Ｗ１）は１．１以上が好ましく、１．２以上が特に好ましい。比（Ｗ２／Ｗ１）は、２．０以下が好ましく、１．８以下が特に好ましい。
【００３９】
図５において矢印Ｌ１で示されているのは、第一突条３４の突出長さである。この長さＬ１の、主部３２の幅Ｗｍに対する比率は、５％以上２０％以下が好ましい。この比率が５％以上である第一突条３４は、走行中に十分に振動する。この第一突条３４は、泥はけ性能に寄与しうる。この比率が２０％以下である第一突条３４は、耐久性に優れる。この第一突条３４はさらに、十分な剛性を有するので、エッジ効果に寄与しうる。長さＬ１は、ランドＬにおいて測定される。
【００４０】
図５において矢印Ｌ２で示されているのは、第二突条３６の突出長さである。この長さＬ２の、主部３２の幅Ｗｍに対する比率は、５％以上２０％以下が好ましい。この比率が５％以上である第二突条３６は、走行中に十分に振動する。この第二突条３６は、泥はけ性能に寄与しうる。この比率が２０％以下である第二突条３６は、耐久性に優れる。この第二突条３６はさらに、十分な剛性を有するので、エッジ効果に寄与しうる。長さＬ２は、ランドＬにおいて測定される。
【００４１】
好ましくは、第一突条３４の長さＬ１は、第二突条３６の長さＬ２よりも大きい。このブロックでは、主として第一突条３４が泥はけ性能に寄与し、主として第二突条３６がエッジ効果に寄与しうる。この観点から、比（Ｌ１／Ｌ２）は１．１以上が好ましく、１．２以上が特に好ましい。比（Ｌ１／Ｌ２）は、２．０以下が好ましく、１．８以下が特に好ましい。
【００４２】
図５において矢印Ｓ１で示されているのは、第一突条３４とこれに隣接する他の第一突条３４との間隔である。この間隔Ｓ１の、主部３２の幅Ｗｍに対する比率は、１５％以上３０％以下が好ましい。この比率が１５％以上であるミドルブロック２４では、走行中に第一突条３４が十分に振動する。この第一突条３４は、泥はけ性能に寄与しうる。この比率が３０％以下であるミドルブロック２４は、十分なエッジを有する。このエッジは、トラクション性能に寄与しうる。間隔Ｓ１は、ランドＬにおいて測定される。
【００４３】
図５において矢印Ｓ２で示されているのは、第二突条３６とこれに隣接する他の第二突条３６との間隔である。この間隔Ｓ２の、主部３２の幅Ｗｍに対する比率は、１５％以上３０％以下が好ましい。この比率が１５％以上であるミドルブロック２４では、走行中に第二突条３６が十分に振動する。この第二突条３６は、泥はけ性能に寄与しうる。この比率が３０％以下であるミドルブロック２４は、十分なエッジを有する。このエッジは、トラクション性能に寄与しうる。間隔Ｓ２は、ランドＬにおいて測定される。
【００４４】
１つの縦側面４０から突出する第一突条３４の数Ｎ１が、１つの横側面４２から突出する第二突条３６の数Ｎ２よりも大きいことが好ましい。このミドルブロック２４では、主として第一突条３４が泥はけ性能に寄与し、主として第二突条３６がエッジ効果に寄与しうる。この観点から、比（Ｎ１／Ｎ２）は１．２５以上が好ましく、１．３３以上が特に好ましい。比（Ｎ１／Ｎ２）は２．０以下が好ましい。
【００４５】
１つのミドルブロック２４におけるランドＬの面積は、１００ｍｍ２以上３００ｍｍ２以下が好ましく、１５０ｍｍ２以上２５０ｍｍ２以下が好ましい。面積は、平面視において測定される。１つのタイヤ２におけるミドルブロック２４の数は、２０以上２００以下が好ましい。
【００４６】
全てのセンターブロック２２、全てのミドルブロック２４及び全てのショルダーブロック２６におけるランドＬの合計面積ＳＬと、シーＳの面積ＳＳとの比率（ＳＬ／ＳＳ）は、１０／９０以上３０／７０以下が好ましく、１５／８０以上２５／７５以下が特に好ましい。
【００４７】
センターブロック２２が、突条を有してもよい。ショルダーブロック２６が、突条を有してもよい。
【００４８】
本発明では、タイヤ２の各部材の寸法及び角度は、タイヤ２が正規リムに組み込まれ、正規内圧となるようにタイヤ２に空気が充填された状態で測定される。測定時には、タイヤ２には荷重がかけられない。本明細書において正規リムとは、タイヤ２が依拠する規格において定められたリムを意味する。ＪＡＴＭＡ規格における「標準リム」、ＴＲＡ規格における「Design Rim」、及びＥＴＲＴＯ規格における「Measuring Rim」は、正規リムである。本明細書において正規内圧とは、タイヤ２が依拠する規格において定められた内圧を意味する。ＪＡＴＭＡ規格における「最高空気圧」、ＴＲＡ規格における「TIRE LOAD LIMITSAT VARIOUS COLD INFLATION PRESSURES」に掲載された「最大値」、及びＥＴＲＴＯ規格における「INFLATION PRESSURE」は、正規内圧である。
【００４９】
図８は、本発明の他の実施形態に係る不整地走行車両用のタイヤのミドルブロック４８が示された平面図である。図８には、ミドルブロック４８のランドＬが示されている。図８において、矢印Ｘはタイヤの軸方向を表し、矢印Ｙはタイヤの周方向を表す。このタイヤの、ミドルブロック４８以外の部材の構造は、図１及び２に示されたタイヤ２のそれらと同じである。
【００５０】
このミドルブロック４８は、主部５０及び複数の突条を有している。本実施形態では、ミドルブロック４８は、複数の第一突条５２及び複数の第二突条５４を有している。主部５０は、ミドルブロック４８のうち、突条５４、５４を除く部分である。
【００５１】
主部５０は、上底面５６と、２つの縦側面５８と、２つの第一横側面６０と、１つの第二横側面６２とを有している。上底面５６は、実質的に正五角形である。側面の数は、５である。それぞれの縦側面５８の延在方向の、周方向Ｙに対する角度の絶対値は、１８°である。それぞれの第一横側面６０の延在方向の、周方向Ｙに対する角度の絶対値は、５４°である。第二横側面６２の延在方向の、周方向Ｙに対する角度の絶対値は、９０°である。
【００５２】
それぞれの縦側面５８から、第一突条５２が突出している。１つの縦側面５８から突出する第一突条５２の数Ｎ１は、４である。それぞれの第一横側面６０から、第二突条５４が突出している。１つの第一横側面６０から突出する第二突条５４の数Ｎ２は、３である。第二横側面６２から、第二突条５４が突出している。１つの第二横側面６２から突出する第二突条５４の数Ｎ２は、３である。このミドルブロック４８では、第一突条５２及び第二突条５４が、エッジ効果に寄与する。第一突条５２及び第二突条５４の振動は、ミドルブロック４８からの泥の剥離を促す。このミドルブロック４８を有するタイヤでは、優れたトラクション性能が安定的に発揮される。
【００５３】
図８において、矢印Ｗｍは主部５０の幅であり、矢印Ｗ１で示されているのは第一突条５２の幅である。幅Ｗ１の幅Ｗｍに対する比率は、５％以上２０％以下が好ましい。この比率が５％以上である第一突条５２は、耐久性に優れる。この第一突条５２はさらに、十分な剛性を有するので、エッジ効果に寄与しうる。この比率が２０％以下である第一突条５２は、走行中に十分に振動する。この第一突条５２は、泥はけ性能に寄与しうる。幅Ｗｍ及び幅Ｗ１は、ランドＬにおいて測定される。
【００５４】
図８において矢印Ｗ２で示されているのは、第二突条５４の幅である。この幅Ｗ２の、主部５０の幅Ｗｍに対する比率は、５％以上２０％以下が好ましい。この比率が５％以上である第二突条５４は、耐久性に優れる。この第二突条５４はさらに、十分な剛性を有するので、エッジ効果に寄与しうる。この比率が２０％以下である第二突条５４は、走行中に十分に振動する。この第二突条５４は、泥はけ性能に寄与しうる。幅Ｗ２は、ランドＬにおいて測定される。
【００５５】
好ましくは、第二突条５４の幅Ｗ２は、第一突条５２の幅Ｗ１よりも大きい。このミドルブロック４８では、主として第一突条５２が泥はけ性能に寄与し、主として第二突条５４がエッジ効果に寄与しうる。この観点から、比（Ｗ２／Ｗ１）は１．１以上が好ましく、１．２以上が特に好ましい。比（Ｗ２／Ｗ１）は、２．０以下が好ましく、１．８以下が特に好ましい。
【００５６】
図８において矢印Ｌ１で示されているのは、第一突条５２の突出長さである。この長さＬ１の、主部５０の幅Ｗｍに対する比率は、５％以上２０％以下が好ましい。この比率が５％以上である第一突条５２は、走行中に十分に振動する。この第一突条５２は、泥はけ性能に寄与しうる。この比率が２０％以下である第一突条５２は、耐久性に優れる。この第一突条５２はさらに、十分な剛性を有するので、エッジ効果に寄与しうる。長さＬ１は、ランドＬにおいて測定される。
【００５７】
図８において矢印Ｌ２で示されているのは、第二突条５４の突出長さである。この長さＬ２の、主部５０の幅Ｗｍに対する比率は、５％以上２０％以下が好ましい。この比率が５％以上である第二突条５４は、走行中に十分に振動する。この第二突条５４は、泥はけ性能に寄与しうる。この比率が２０％以下である第二突条５４は、耐久性に優れる。この第二突条５４はさらに、十分な剛性を有するので、エッジ効果に寄与しうる。長さＬ２は、ランドＬにおいて測定される。
【００５８】
好ましくは、第一突条５２の長さＬ１は、第二突条５４の長さＬ２よりも大きい。このブロックでは、主として第一突条５２が泥はけ性能に寄与し、主として第二突条５４がエッジ効果に寄与しうる。この観点から、比（Ｌ１／Ｌ２）は１．１以上が好ましく、１．２以上が特に好ましい。比（Ｌ１／Ｌ２）は、２．０以下が好ましく、１．８以下が特に好ましい。
【００５９】
図８において矢印Ｓ１で示されているのは、第一突条５２とこれに隣接する他の第一突条５２との間隔である。この間隔Ｓ１の、主部５０の幅Ｗｍに対する比率は、１５％以上３０％以下が好ましい。この比率が１５％以上であるミドルブロック４８では、走行中に第一突条５２が十分に振動する。この第一突条５２は、泥はけ性能に寄与しうる。この比率が３０％以下であるミドルブロック４８は、十分なエッジを有する。このエッジは、トラクション性能に寄与しうる。間隔Ｓ１は、ランドＬにおいて測定される。
【００６０】
図８において矢印Ｓ２で示されているのは、第二突条５４とこれに隣接する他の第二突条５４との間隔である。この間隔Ｓ２の、主部５０の幅Ｗｍに対する比率は、１５％以上３０％以下が好ましい。この比率が１５％以上であるミドルブロック４８では、走行中に第二突条５４が十分に振動する。この第二突条５４は、泥はけ性能に寄与しうる。この比率が３０％以下であるミドルブロック４８は、十分なエッジを有する。このエッジは、トラクション性能に寄与しうる。間隔Ｓ２は、ランドＬにおいて測定される。
【００６１】
図９は、本発明のさらに他の実施形態に係る不整地走行車両用のタイヤのミドルブロック６４が示された平面図である。図９には、ミドルブロック６４のランドＬが示されている。図９において、矢印Ｘはタイヤの軸方向を表し、矢印Ｙはタイヤの周方向を表す。このタイヤの、ミドルブロック６４以外の部材の構造は、図１及び２に示されたタイヤ２のそれらと同じである。
【００６２】
このミドルブロック６４は、主部６６及び複数の突条６８を有している。主部６６は、ミドルブロック６４のうち、突条６８を除く部分である。
【００６３】
主部６６は、上底面７０と、２つの縦側面７２と、２つの横側面７４とを有している。上底面７０は、実質的に正方形である。側面７２、７４の数は、４である。それぞれの縦側面７２の延在方向の、周方向Ｙに対する角度の絶対値は、０°である。それぞれの横側面７４の延在方向の、周方向Ｙに対する角度の絶対値は、９０°である。
【００６４】
それぞれの縦側面７２から、突条６８が突出している。１つの縦側面７２から突出する突条６８の数は、４である。それぞれの横側面７４から、突条６８が突出している。１つの横側面７４から突出する突条６８の数は、４である。縦側面７２から突出する突条６８の幅Ｗは、横側面７４から突出する突条６８の幅Ｗと同じである。縦側面７２から突出する突条６８の長さＬは、横側面７４から突出する突条６８の長さＬと同じである。これらの突条６８は、ミドルブロック６４のエッジ効果に寄与する。これらの突条６８の振動は、ミドルブロック６４からの泥の剥離を促す。このミドルブロック６４を有するタイヤでは、優れたトラクション性能が安定的に発揮される。
【００６５】
図９において、矢印Ｗｍは主部６６の幅である。幅Ｗの幅Ｗｍに対する比率は、５％以上２０％以下が好ましい。この比率が５％以上である突条６８は、耐久性に優れる。この突条６８はさらに、十分な剛性を有するので、エッジ効果に寄与しうる。この比率が２０％以下である突条６８は、走行中に十分に振動する。この突条６８は、泥はけ性能に寄与しうる。幅Ｗｍ及び幅Ｗは、ランドＬにおいて測定される。
【００６６】
長さＬの幅Ｗｍに対する比率は、５％以上２０％以下が好ましい。この比率が５％以上である突条６８は、走行中に十分に振動する。この突条６８は、泥はけ性能に寄与しうる。この比率が２０％以下である突条６８は、耐久性に優れる。この突条６８はさらに、十分な剛性を有するので、エッジ効果に寄与しうる。長さＬは、ランドＬにおいて測定される。
【００６７】
図９において矢印Ｓで示されているのは、突条６８とこれに隣接する他の突条６８との間隔である。この間隔Ｓの、主部６６の幅Ｗｍに対する比率は、１５％以上３０％以下が好ましい。この比率が１５％以上であるミドルブロック６４では、走行中に突条６８が十分に振動する。この突条６８は、泥はけ性能に寄与しうる。この比率が３０％以下であるミドルブロック６４は、十分なエッジを有する。このエッジは、トラクション性能に寄与しうる。間隔Ｓは、ランドＬにおいて測定される。
【００６８】
図１０は、本発明のさらに他の実施形態に係る不整地走行車両用のタイヤのミドルブロック７６が示された平面図である。図１０には、ミドルブロック７６のランドＬが示されている。図１０において、矢印Ｘはタイヤの軸方向を表し、矢印Ｙはタイヤの周方向を表す。このタイヤの、ミドルブロック７６以外の部材の構造は、図１及び２に示されたタイヤ２のそれらと同じである。
【００６９】
このミドルブロック７６は、主部７８及び複数の突条８０、８２を有している。主部７８は、ブロックのうち、突条８０、８２を除く部分である。
【００７０】
主部７８は、上底面８４、第一側面８６、第二側面８８、第三側面９０及び第四側面９２を有している。上底面８４は、実質的に正方形である。側面８６、８８、９０、９２の数は、４である。それぞれの側面の延在方向の、周方向に対する角度の絶対値は、４５°である。
【００７１】
第一側面８６から、４つの突条８０が突出している。第二側面８８から、３つの突条８２が突出している。第三側面９０から、４つの突条８０が突出している。第四側面９２から、３つの突条８２が突出している。これらの突条８０、８２は、ミドルブロック７６のエッジ効果に寄与する。これらの突条８０、８２の振動は、ミドルブロック７６からの泥の剥離を促す。このミドルブロック７６を有するタイヤでは、優れたトラクション性能が安定的に発揮される。
【００７２】
第二側面８８の突条８２及び第四側面９２の突条８２の幅Ｗｂは、第一側面８６の突条８０及び第三側面９０の突条８０の幅Ｗａよりも大きい。第一側面８６の突条８０及び第三側面９０の突条８０の長さＬａは、第二側面８８の突条８２及び第四側面９２の突条８２の長さＬｂよりも大きい。このミドルブロック７６では、第一側面８６の突条８０及び第三側面９０の突条８０が泥はけ性能に寄与し、第二側面８８の突条８２及び第四側面９２の突条８２がエッジ効果に寄与しうる。
【実施例】
【００７３】
以下、実施例によって本発明の効果が明らかにされるが、この実施例の記載に基づいて本発明が限定的に解釈されるべきではない。
【００７４】
［実施例１］
図１−６に示された構造を有するタイヤを得た。このタイヤは、不整地走行モーターサイクルのリアホイール用であった。このタイヤのサイズは、「１２０／８０−１９  ２．１５ＷＭ」であった。このタイヤのミドルブロックにおける、突条が存在する縦側面の数ＮＳ１は２であり、突条が存在する横側面の数ＮＳ２は２であった。１つの縦側面から突出する突条の数Ｎ１は４であり、１つの横側面から突出する突条の数Ｎ２は３であった。突条の仕様が、下記の表１に示されている。
【００７５】
［実施例２−５］
突条のサイズを下記の表１に示される通りとした他は実施例１と同様にして、実施例２−５のタイヤを得た。
【００７６】
［実施例６−１０］
ミドルブロックの仕様を下記の表２に示される通りとした他は実施例１と同様にして、実施例６−１０のタイヤを得た。
【００７７】
［実施例１１及び１２並びに比較例１］
突条の数Ｎ１及びＮ２を下記の表３に示される通りとした他は実施例１と同様にして、実施例１１及び１２並びに比較例１のタイヤを得た。
【００７８】
［比較例２］
突条を有さないブロックを設けた他は実施例１と同様にして、比較例２のタイヤを得た。
【００７９】
［官能評価］
タイヤを、排気量が４５０ｃｃである、モトクロス競技専用のモーターサイクルの後リムに装着した。このタイヤに、その内圧が８０ｋＰａとなるように空気を充填した。このモーターサイクルの前リムには、市販のタイヤを装着した。このモーターサイクルをモトクロスコースにて走行させて、トラクション性能及び泥はけ性能をライダー評価させた。この結果が、指数として、下記の表１−３に示されている。この数値が大きいほど、性能が良好である。
【００８０】
【表１】
2020175706.tif 000003
【００８１】
【表２】
2020175706.tif 000004
【００８２】
【表３】
2020175706.tif 000005
【００８３】
表１−３に示されるように、各実施例の空気入りタイヤは、トラクション性能及び泥はけ性能に優れている。この評価結果から、本発明の優位性は明らかである。
【産業上の利用可能性】
【００８４】
本発明に係るタイヤは、不整地を走行する種々の車輌に装着されうる。
【符号の説明】
【００８５】
２・・・タイヤ
４・・・トレッド
６・・・サイドウォール
８・・・ビード
１０・・・カーカス
１２・・・ベルト
１８・・・ベース
２０・・・キャップ
２２・・・センターブロック
２４、４８、６４、７６・・・ミドルブロック
２６・・・ショルダーブロック
３２、５０、６６、７８・・・主部
３４、５２・・・第一突条
３６、５４・・・第二突条
３８、５６、７０、８４・・・上底面
４０、５８、７２・・・縦側面
４２、７４・・・横側面
４４・・・第一端面
４６・・・第二端面
６０・・・第一横側面
６２・・・第二横側面
６８、８０、８２・・・突条
８６・・・第一側面
８８・・・第二側面
９０・・・第三側面
９２・・・第四側面
Ｌ・・・ランド
Ｓ・・・シー
【図１】
2020175706.tif 000006
【図２】
2020175706.tif 000007
【図３】
2020175706.tif 000008
【図４】
2020175706.tif 000009
【図５】
2020175706.tif 000010
【図６】
2020175706.tif 000011
【図７】
2020175706.tif 000012
【図８】
2020175706.tif 000013
【図９】
2020175706.tif 000014
【図１０】
2020175706.tif 000015
【図１１】
2020175706.tif 000016
【図１２】
2020175706.tif 000017
【図１３】
2020175706.tif 000018